(57)【要約】      （修正有）【課題】使用者が着座又は横臥した姿勢のままで気軽に足の運動を行うことができる健康器具を提供する。【解決手段】本考案では、健康器具１において、使用者の身体を保持するための保持具６を載置できる台座２と、前記台座２に垂直に設けられた、使用者の身体を跨ぐ門型の支持体３と、前記支持体３に設けられた滑車１１と、前記滑車１１に巻回された、両端部に使用者の足を引っ掛けて足を交互に上下運動するための吊り具４とを有することにした。また、本考案では、前記支持体３に前記吊り具４を巻回する２個の滑車１１を間隔変更可能に設けることにした。【選択図】図１
0003225208.tif 000002
【実用新案登録請求の範囲】
【請求項１】
使用者の身体を保持するための保持具を載置できる台座と、
前記台座に垂直に設けられた、使用者の身体を跨ぐ門型の支持体と、
前記支持体に設けられた滑車と、
前記滑車に巻回された、両端部に使用者の足を引っ掛けて足を交互に上下運動するための吊り具と、
を有することを特徴とする健康器具。
【請求項２】
前記支持体に前記吊り具を巻回する２個の滑車を間隔変更可能に設けたことを特徴とする請求項１に記載の健康器具。
【考案の詳細な説明】
【技術分野】
【０００１】
本考案は、着座又は横臥した姿勢で両足の上下運動をすることができる健康器具に関するものである。
【背景技術】
【０００２】
従来より、健康維持や健康増進などを目的として家庭内で身体運動が行える健康器具が多く考案されている。
【０００３】
たとえば、特許文献１に開示された健康器具では、台に立設した支柱の上端部に腰掛け部を設けるとともに、台と腰掛け部との間にバネを設けた構成となっている。
【０００４】
そして、この健康器具では、使用者が起立した姿勢からバネの付勢力に抗して腰掛け部に腰掛けることで、足の屈伸運動が行えるようになっている。
【先行技術文献】
【特許文献】
【０００５】
【特許文献１】実用新案登録第３１９８４１３号公報
【考案の概要】
【考案が解決しようとする課題】
【０００６】
ところが、上記従来の健康器具では、使用者が一旦起立した後に起立した姿勢から足の屈伸運動を開始しなければならないものであった。
【０００７】
そのため、使用者の体重が負荷として使用者の足にかかった状態で足の屈伸運動を行わなければならず、また、使用者が座ったままの姿勢や寝たままの姿勢では屈伸運動を行うことができず、使用者が気軽に両足の運動を行うことができないものであった。
【課題を解決するための手段】
【０００８】
そこで、請求項１に係る本考案では、健康器具において、使用者の身体を保持するための保持具を載置できる台座と、前記台座に垂直に設けられた、使用者の身体を跨ぐ門型の支持体と、前記支持体に設けられた滑車と、前記滑車に巻回された、両端部に使用者の足を引っ掛けて足を交互に上下運動するための吊り具とを有することにした。
【０００９】
また、請求項２に係る本考案では、前記請求項１に係る本考案において、前記支持体に前記吊り具を巻回する２個の滑車を間隔変更可能に設けることにした。
【考案の効果】
【００１０】
そして、本考案では、以下に記載する効果を奏する。
【００１１】
すなわち、本考案では、健康器具において、使用者の身体を保持するための保持具を載置できる台座と、前記台座に垂直に設けられた、使用者の身体を跨ぐ門型の支持体と、前記支持体に設けられた滑車と、前記滑車に巻回された、両端部に使用者の足を引っ掛けて足を交互に上下運動するための吊り具とを有することにしているために、使用者が保持具に着座又は横臥した姿勢のままで足の上下運動を行うことができ、使用者が気軽に足の運動を行うことができる。
【００１２】
特に、前記支持体に前記吊り具を巻回する２個の滑車を間隔変更可能に設けることにした場合には、使用者の体型（両足の間隔）に応じて足を吊下げる吊り具の間隔を容易に変更することができ、使用者の体型にかかわらず安定した姿勢で運動を行うことができる。
【図面の簡単な説明】
【００１３】
【図１】本考案に係る健康器具を示す正面図。
【図２】同右側面図。
【図３】同平面図。
【考案を実施するための形態】
【００１４】
以下に、本考案に係る健康器具の具体的な構成について図面を参照しながら説明する。
【００１５】
図１〜図３に示すように、健康器具１は、概ね、台座２と支持体３と吊り具４とで構成している。
【００１６】
台座２は、床５に載置することができるように平面状に形成しており、平板でもよく枠体でもよい。この台座２には、使用者の身体を保持するための保持具６が前後方向に向けて載置される。保持具６は、使用者の身体を着座姿勢又は横臥姿勢で保持することができる座椅子やベッドなどを用いることができる。この保持具６は、台座２を平板状に形成した場合にはその上部に載置し、台座２を枠状に形成した場合にはその枠内又は枠上に載置する。なお、保持具６として、リクライニング式の座椅子を用いることで、使用者の身体を着座姿勢及び横臥姿勢で保持することができる。
【００１７】
支持体３は、台座２の前後方向における中央部の上側に水平な台座２に対して垂直に設けられている。この支持体３は、台座２の上部に左右一対の柱7,8を垂直に立設するとともに、柱7,8の上端間に円筒状の梁９を架設して、保持具６で保持される使用者の身体を跨ぐように門型に形成されている。
【００１８】
この支持体３には、台座２との間に使用者が把持することができる持ち手10,10が設けられている。各持ち手10は、下端部が台座２の上部であって支持体３よりも後方側に取付けられ、上端部が支持体３の各柱7,8の中途部後方側に取付けられており、台座２と支持体３との間に傾斜状に設けられている。
【００１９】
吊り具４は、支持体３の上部の梁９に左右一対の滑車11,11を介して吊下げられている。各滑車11は、上端部を梁９に左右に移動可能かつ固定可能に取付けた可撓性を有する支持具12の下端部に回動自在に取付けられている。これにより、各支持具12を支持体３（梁９）に移動可能に取付けることで、使用者の体型（両足の間隔など）に応じて左右の滑車11の間隔を変更できるようにしている。なお、ここでは２個の滑車11,11を用いているが、これに限られず、支持体３の上部の梁９に取付けた（固定した）支持具12で支持する１個の滑車11に吊り具４を巻回したものでもよい。
【００２０】
また、吊り具４は、伸縮しない紐部13の両端部に環状の吊部14を形成し、紐部13を滑車11,11に巻回して、吊部14,14を垂下させている。
【００２１】
この吊り具４は、吊部14に使用者の足を通すことで使用者の足首を吊部14で保持することができるようになっている。なお、各吊り具４の紐部13の長さや吊部14の形状などは、使用者の体型などに応じて変更してもよい。
【００２２】
健康器具１は、以上に説明したように構成しており、使用者が着座姿勢又は横臥姿勢のまま身体を保持具６で保持した状態で使用者の足を各吊り具４の吊部14に通して使用者の足首を吊部14に保持させることができる。
【００２３】
そして、健康器具１は、使用者が上記状態から各吊り具４の紐部13の引張力（反対側の足の重量）に抗して足を交互に上下に動かすことで、使用者が足の上下運動（歩行運動）などの身体運動を行うことができるようになっている。
【００２４】
なお、健康器具１は、使用者が手の屈伸運動などをも併せて行えるように、台座２に伸縮自在の伸縮具15,15を設けてもよい。各伸縮具15は、基端部（前端部）に左右方向に中心線を向けた環状の回動部16を形成し、先端部（後端部）に上下方向に中心線を向けた環状の把持部17を形成し、回動部16と把持部17との間に上下方向に伸縮自在に伸延する伸縮部18を形成している。この各伸縮具15は、支持体３の前端に回動部16を上下方向に向けて揺動自在で左右方向に向けて移動自在に取付けている。これにより、使用者は、体型などに応じて２本の伸縮具15,15の間隔を変更することができる。
【００２５】
以上に説明したように、上記健康器具１は、使用者の身体を保持するための保持具６を載置できる台座２と、台座２に垂直に設けられた、使用者の身体を跨ぐ門型の支持体３と、支持体３に設けられた滑車11と、滑車11に巻回された、両端部に使用者の足を引っ掛けて足を交互に上下運動するための吊り具４とを有する構成となっている。
【００２６】
そのため、上記構成の健康器具１では、使用者が保持具６に着座又は横臥した姿勢のままで足の上下運動を行うことができ、使用者が気軽に足の運動を行うことができる。
【００２７】
また、上記健康器具１は、支持体３に吊り具４を巻回する２個の滑車11,11を間隔変更可能に設けた構成となっている。
【００２８】
そのため、上記構成の健康器具１では、使用者の体型（両足の間隔）に応じて足を吊下げる吊り具４の間隔を容易に変更することができ、使用者の体型にかかわらず安定した姿勢で運動を行うことができる。
【符号の説明】
【００２９】
１  健康器具                      ２  台座
３  支持体                        ４  吊り具
５  床                            ６  保持具
7,8  柱                           ９  梁
10  持ち手                        11  滑車
12  支持具                        13  紐部
14  吊部                          15  伸縮具
16  回動部                        17  把持部
18  伸縮部
【図１】
0003225208.tif 000003
【図２】
0003225208.tif 000004
【図３】
0003225208.tif 000005